(57)【要約】【課題】  オフィス内の任意の位置に移動させて設置することにより、そこにオフィス内の人々が集い易くすると共に、集まった人の間で自然発生的なコミュニケーションが生じ易い「場」を創設し、従来タイプのオフィスにはない場所或は環境を各オフィスワーカーに提供することが可能な手段を提供すること。【解決手段】  上面が平坦で所要の高さを有するベース台１であって下面側に移動用の車輪２を有するベース台１の外周縁に少なくとも１本の支柱３を立設し、該支柱３にサイン，表示パネル８，天板や座板７などの設備を選択的に装着できるようにしたこと。【選択図】    図４
2005046600.tif 000002
【特許請求の範囲】
【請求項１】
上面が平坦で所要の高さを有するベース台であって下面側に移動用の車輪を有するベース台の外周縁に少なくとも１本の支柱を立設し、該支柱にサイン，表示パネル，天板や座板などの設備を選択的に装着できるようにしたことを特徴とする可動コミュニケーション装置。
【請求項２】
ベース台の裏面には、電源線と通信線の配線収納部を形成すると共に、該ベース台の上面又は側面側に前記配線の取出部を形成した請求項１の可動コミュニケーション装置。
【請求項３】
ベース台は、枠状をなし外周側に車輪を備えたフレームと、該フレームの周囲を囲んで設けた外周部材と、前記フレームに着脱自在に架装したトレー状の配線収納部と、前記フレームの外周部材に囲まれた上面全域を覆う分割タイプの上面部材を備えて形成された請求項１又は２の可動コミュニケーション装置。
【請求項４】
ベース台のフレームには、天板や座板を支持した脚の下端部が挿入されて支持される脚支持ポストを設け、該ポストに通じるキャップ乃至プラグ付の穴を上面部材に設けた請求項３の可動コミュニケーション装置。
【請求項５】
少なくとも２本の支柱をベース台の外周側に立設し、各支柱の上端側を連結部材で連結した請求項１〜４のいずれかの可動コミュニケーション装置
【請求項６】
支柱は、その内部又は外面に形成した凹部や凹溝などを配線用の通路に形成した請求項１〜５のいずれかの可動コミュニケーション装置。
【請求項７】
支柱に水平面内で旋回自在のアーム部材を設け、該アーム部材に垂直向きの軸で枢着されるボード又はスクリーンを支持させた請求項１〜６のいずれかの可動コミュニケーション装置。
【請求項８】
ボード又はスクリーンの下部であってアーム部材との枢着軸と同軸上にプロジェクタ載せ台を設けた請求項７の可動コミュニケーション装置。
【請求項９】
ボード又はスクリーンとプロジェクタ載せ台は、一体に旋回させるか、又は、別個に旋回させるように設けた請求項８の可動コミュニケーション装置。
【請求項１０】
支柱に装着してベース台の上に配置する天板又は座板は、ベース台上面からの高さを選択して配置することにより、前記天板又は座板を使用する人の視線の高さを所望の高さに選択できるようにした請求項１〜９のいずれかの可動コミュニケーション装置。
【請求項１１】
支柱を備えたベース台の背面側に、前記支柱に支持させて天板，棚板，キャビネット，ボードなどの設備を、それらの中から少なくとも１つを選択して、或は、適宜組合せ背面設備として設けた請求項１〜10のいずれかの可動コミュニケーション装置。
【発明の詳細な説明】
【技術分野】
【０００１】
本発明はオフィス内に設置したとき、そのオフィス内に居る人の注目を惹き易いことにより、注目をした人がそこに集合し易く、その場所でのコミュニケーション、或は、その場所を中心とする人々のコミュニケーションの拡充を図ることを可能にする可動コミュニケーション装置に関する。
【背景技術】
【０００２】
情報技術が著しく進展した現在の情報環境下ではインターネットや携帯電話に代表される通信技術を用いることにより、オフィスワーカーはいわば「いつでもどこでも」仕事ができる環境にあるので、携帯電話や電子メール或はＴＶ会議等を中心とする相互遠隔型コミュニケーションを容易に実現できることとなり、昨今のオフィスではこのようなコミュニケーション形態が隆盛になりつつある。
【０００３】
上記の遠隔型コミュニケーション手段は定型的な或は業務上の情報をスピーディーに伝達する有効な手段であるから、既に各企業などにおいても導入されているが、その反面、相互に遠隔のままで手軽に情報交換が行えることにより、現実に直に顔を突き合わせた、いわば「Face to Face」型或は対面型のコミュニケーションの機会が減少する傾向にある。
【０００４】
一方、遠隔型コミュニケーション手段は、その性質上、画像や音等の「視覚」や「聴覚」を介して１元的に切取られた情報を伝達することしかできない面もある。しかし乍ら、人は、本来的には五感（視覚／聴覚／味覚／触覚／嗅覚）を通して総合的に情報を伝達したり取得し、その情報の内容を判断している。例えば、スポーツ選手や職人の技量等の高度な感覚的知覚を伴う感覚的知識や感覚的情報を伝達するには、上記の一元的に切り取られた伝達をする遠隔型コミュニケーション手段では不充分であり、「Face to Face」型のコミュニケーション手段である必要がある。しかし、[Face to Face]型のコミュニケーションに代わり得る機械的デバイス（手段）はないと考えられる。
【０００５】
このような点に鑑みると、現在の競争社会においてより高度で創造的な商品の開発やそのためのアイデア等を創出するには、単独で考えたり思考するよりも、「Face to Face」型のコミュニケーションを通してアイデア等を創出することが効率が良く合理的であることが多く、創出のための考えなどを人に伝達するにも、そのコミュニケーションに係る人々の五感を駆使したコミュニケーションをとるための「場」や「機会」、或は、「Face to Face」型のコミュニケーションを活用するためのより効果的な「手段」が必要と考えられる。
【０００６】
他方、従来型オフィスでは、仕事や業務を逐行するのは、各個人用のワーク環境が中心であり、そのためのスペースや時間の大半が各個人に占められていた。しかしながら、昨今の情報技術の進展に伴い「いつでもどこでも」個人ワークが可能な環境が整いつつあるため、個々のオフィスワーカーは、益々、分散傾向を強め、従って、現在では各個人のためのワーク環境もその本来的意味も失いつつあるといえる。このような点が考慮された最近のオフィスでは、個人作業中心の業務形態から上記に述べた競争力を高めるためのコミュニケーションの度合いを高めたチームワーク環境を作ることがオフィス環境形成上或は演出上の重要事項となっている。このため好ましいオフィス環境としての「場」を提供しようとするオフィスでは、ＩＴ技術だけを整備すれば足りるのではなく、チーム構成メンバー間での深いコミュニケーションを実現するのに有効な「手段」と「機会」を用意することが必須要件と考えられるようになりつつある。
【０００７】
ここで、分散傾向にあるオフィスワーカーや、異なるセクションのオフィスワーカーをオフィス内の一箇所に集めるには、各個人のスケジュールを合わせた上で時間と場所を設定する必要がある。しかるに、「不特定複数又は多数」のオフィスワーカーをスケデュール調整無しでオフィス内の「特定の場所」に集めることができれば、そこで偶発的なコミュニケーションが発生し予期乃至予測できない全く異なった各人の価値観や観点などに基づいた情報の交換が、そこに集まった各オフィスワーカーの間でなされることが可能になると考えられる。しかしながら現在のオフィスでは上記のような異なった価値観などに基づく情報の交換や交流の場は、意図すると否とに拘わらず用意されておらず、また殆ど着目もされていなかった。
【０００８】
上述のようなオフィス環境を形成するためには、街中の人々が集まる「場」と同じくオフィスの中にも人を惹きつける魅力的な「場」を創り出す必要があると考えられる。このためには、オフィスに必要なサービス機能やアメニティー機能（例えば、カフェコーナーや情報掲示コーナー、或は、ライブラリー等）を集約させ、しかもその場所がわかり易いサインやシンボル、或は、感じの良い雰囲気を演出することによって、上記の「場」の創出が可能となると考えられる。そのような「場」がオフィス内に創設されれば、各オフィスワーカーはその場に自然と集い、これによって多くの偶発的なコミュニケーションを発生させることが可能になると考えられる。
【発明の開示】
【発明が解決しようとする課題】
【０００９】
そこで本発明では、オフィス内の任意の位置に移動させて設置することにより、そこにオフィス内の人々が集い易くすると共に、集まった人の間で自然発生的なコミュニケーションが生じ易い「場」を創設し、従来タイプのオフィスにはない場所或は環境を各オフィスワーカーに提供することが可能な手段を提供することを課題とする。
【課題を解決するための手段】
【００１０】
上記課題を解決することを目的としてなされた本発明可動コミュニケーション装置の構成は、上面が平坦で所要高さを有するベース台であって下面側に移動用の車輪を有するベース台の外周縁に少なくとも１本の支柱を立設し、該支柱にサイン，表示パネル，天板や座板などの設備を選択的に装着できるようにしたことを特徴とするものである。前記ベース台の裏面には電源線と通信線の配線収納部を形成すると共に、該ベース台の上面又は側面側に前記配線の取出部を形成することがある。また、配線収納部を裏面に形成するためベース台の高さは低くても５cmはあることが望ましい。このためベース台の具体的構成の一例としては、枠状をなし外周側に車輪を備えたフレームと、該フレームの周囲を囲んで設けた外周部材と、前記フレームに着脱自在に架装したトレー状の配線収納部と、前記フレームの外周部材に囲まれた上面全域を覆う分割タイプの上面部材を備えて構成するとよい。また、ベース台のフレームには、天板や座板を支持した脚の下端部が挿入されて支持される脚支持ポストを設け、該ポストに通じるキャップ乃至プラグ付の穴を上面部材に設けることにより、ベース台の上に天板や座板を配置し易くする。
【００１１】
上記の本発明可動コミュニケーション装置においては、ベース台の外周縁に立設した少なくとも１本の支柱に、天板又は座板を支持させると共に、支柱を２本以上、好ましくは３本設けた場合には、各支柱をそれらの上端側において環状部材で連結する構成とする。本発明では、上記支柱の内部又は支柱の外面に形成した凹部や凹溝などを前記配線用の通路とすることができる。
【００１２】
また、本発明可動コミュニケーション装置では、支柱に水平面内で旋回自在のアーム部材を設け、該アーム部材に垂直向きの軸で枢着されるボード又はスクリーンを支持させて設けることにより、より深いコミュニケーションを可能にすることができる。しかも、前記ボード又はスクリーンの下部であってアーム部材との枢着軸と同軸上にプロジェクタ載せ台を設けると、きわめてコンパクトな空間でプロジェクタを利用した情報の開示などが可能になるので、より高い度合のコミュニケーションを可能にする。
なお、前記の支柱を備えたベース台のボード又はスクリーンが設けられない背面側に、前記支柱に支持させて天板，棚板，キャビネット，ボードなどの設備の中から少なくとも１つを選択して、或は、適宜組合せて背面設備を設ければ、ベース台上或は正面側の設備と相俟って本発明可動コミュニケーション装置の有用性が一層高まる。
【発明の効果】
【００１３】
本発明可動コミュニケーション装置は、上記構成によって次の作用効果がある。即ち、オフィス内の人が集まった中で、ベース台の上に乗った人とベース台の周囲に居る人の間に、いわゆる目線の高さの違いがあることによって情報の発信側と受信側の関係を成立させ、この関係を劇場における演者と観客の関係に見立てることにより、より効果的なコミュニケーションを可能とすると共に、そのコミュニケーションの度合（深さ或は高さ）をより増幅させることが可能になる。この点に鑑みると、ベース台の高さは、高くても40cm程度であり、ベース台の上の情報発信者とその周囲の情報受信者との関係をより緊密にするには、種々の高さのベース台によってテストをした結果、20cm前後の高さであることが好ましいことが判った。これらのことから本発明におけるベース台の高さは、約５cm〜約40cm程度、好ましくは20cm前後である。
【００１４】
例えば、発信者が一段高い「場（ベース台の上）」に乗って発言することを誘発することにより、その発言の発信者とこの「場」の周囲のフロア上にいる受手の目線の高さに差を付け、より効果的なコミュニケーションを図る。ベース台の上とオフィスフロアの段差は、概ね通常のオフイス空間には無い高さの差であるため、発信者は高揚感を得やすい上にオフィス内をよく見通すことができ、しかも、発信者と受手間のお互いの間で目線を介したアクセスも行い易くなり、また、ベース台の周辺の人々からも発信側がよく視認できる効果もあるので、発信者と受手間での議論（コミュニケーション）を活発化し、これを換言すれば、あたかも広場に掲示された瓦版の周りに人が集まるように人を集めることができる効果がある。
【００１５】
一般にオフィス内においては、周囲の人から「注目される場」に自発的に身を置くことはなかなか困難なことである。しかし、オフィス内で自分のアイデアや考えなどをより多くの人に「効果的に伝えたい」或は「周囲の人を説得したい」、「周囲の人に聞いてもらいたい」ということを実現しやすい環境を欲した場合、オフィス内でそのことを行える場としては、公式な会議の場以外にはない。しかし、そのような公式的な場は得てして情報の流れが一方通行となり易く、また発言機会も少なくしかも未成熟の形（段階，内容）での自分のアイデアや考えの発信はしずらいのが現状である。
【００１６】
しかし乍ら、本発明コミュニケーション装置によれば、この装置が備えた舞台性が、発信者により気軽にアイデアなどの発信を行わせることができる点を大きな特徴とする。これはオープンなベース台の形態がもたらす開放された明るさと、形式ばらないカジュアルな雰囲気、演者（発信者）と一体化することが可能な発信のためのビジュアルツールがベース台に配置されていること、ベース台の周辺に配置したサービス機能が集まった人々をリラックスさせること、ベース台の上に乗る人が周囲のフロア上の人と頻繁に入れ替わることによって発信者と受けてとを明確に区別してコミュニケーションにメリハリをつけることができることによってもたらされるものである。これらのことは発信者と受け手とが同じ高さの目線レベルで情報発信をする従来型コミュニケーションの形態比べ明らかにコミュニケーション効果を上げる要素となっている。従って、たとえ未成熟なアイデアや考えなどであっても、その発信行為をきっかけにして、発信されたアイデアや考えなどに関するコミュニケーションが沸き立ち、その場で新しいアイデアが創出されるという「アドリブ性」も生み出し、またそのことが新たな知的創造を生み出す要因にもなると考えられる。
【００１７】
更には、ベース台に様々な仕掛けを施す（設備などを設ける）と、より多くの人を集めることが可能になり、集まった人がさらに人を集めることとなる。そのような人々の集まりの中でベース台の上とオフィスフロアの上での目線の高さ違いはお互いの意識の変化も誘発する。このようなオフィスにおける非日常的状況が各オフィスワーカー間のコミュニケーションを高める要因となる。
【発明を実施するための最良の形態】
【００１８】
上記のような作用がある本発明可動コミュニケーション装置の実施の形態例について図を参照しつつ説明する。図１，図２，図３はそれぞれ本発明可動コミュニケーション装置の実施形態の例を示す斜視図、図４は本発明可動コミュニケーション装置におけるベース台の構造例を説明するため一部を断面にした側面図、図５は図４の平面図、図６は図４，図５のベース台の支柱にホワイトボードなどによる表示パネルを装着した例の側面図、図７は図６の平面図、図８は図７の正面図、図９は本発明可動コミュニケーション装置におけるベース台の別例の具体的構造例を示すために上面部材であるベース板を外した状態の平面図、図10は表示パネルを装着した別例の要部の正面図、図11は図10の要部の平面図、図12は図10の右側面図、図13は本発明可動コミュニケーション装置の背面設備を説明するための平面図、図14は図13におけるゾーンＡの側面図、図15は図13におけるゾーンＢの側面図、図16は図13におけるゾーンＣの側面図である。
【００１９】
図１〜図８において、１は本発明可動コミュニケーション装置におけるベース台の一例で、ここでは高さが約20cm、直径が一例として約２m程度の剛性で円形の上面部材たるベース板1aの下面側における外周近くに、ロック付又はロックなしの自在キャスタのような車輪２を、等ピッチで少なくとも３個設けると共に、車輪２を隠すスカート状の外周部材１ｂをベース板1aの外周に垂設することにより形成されている。ここで、ベース板1aの外形は図示した円形のみならず、長円形状や任意の多角形状であってよい。また、ベース台１の直径も上記２m程度に限られず、例えば２m以下の直径（長円、楕円の場合は長径、以下同じ）、或は、２m以上の直径とすることもある。
【００２０】
ベース台１としては、図９に例示する具体的構造を採る場合もある。即ち、図９のベース台は、２本のクロス部材1cとクロス部材間の先端に架設した４本の連結部材1dにより形成した枠状をなすフレーム1eと、このフレーム1eの外周をバンパー状に囲んだ円形の外周部材1bと、前記クロス部材1cと連結部材1dにより形成される内部空間に、前記両部材1c，1dに掛止させて設けたトレー状をなす４個の配線収納部９を具備して形成されている。そしてクロス部材1c，1cには、ここでは縦向き部材の上下両端と中央、並びに、横向き部材の右端の計４箇所に、天板や座板の脚を挿入して支持するための脚ポスト4fが設けられており、このように形成されたフレーム1dと外周部材1bの上面に、ここでは、図９の左側の半円形を二分した１／４円形状の２枚の上面部材と、右側の半円形の上面部材に三分割された上面部材たるベース板1aが載架され固定されている。なお、上面部材1aの前記脚ポスト4fに対応する位置には穴が明けてある。また、前記脚ポスト4fの位置や設置数は、上記例に限られるものではない。
【００２１】
ベース台１は上記の高さを有することによってオフィスの床（フロアともいう、以下同じ）Ｆよりも一段高い、図の例では円形ステージ状をなす台のような外観を呈する。ベース台１の上面がオフィスの床Ｆよりも一段高い、上記例では20cm程度高いということは、この台１の上に乗った人は、例えば立ち姿勢で約20cm高い立ち姿勢の視点から周囲を見渡すことができ、また、台１に乗っている人を見る周囲の人は、かなり離れた地点からでもこの台１上に居る人に気が付く、つまり視野に入るということになる。発信側がベース台１の上で椅子の座板に座った場合、フロアＦの受け手も椅子に座って視線の高さ違いを維持できるようにすることが望ましい。
【００２２】
本発明は、このベース台１が持つ床Ｆからの高さ、並びに、このベース台１がオフィス内で自在に位置を変更できる、つまり、ベース台１の下にキャスター等の車輪２（図１〜図３では隠れて見えない）によって移動できるように形成した点が、従来の固定式でフロアＦと同面に設置される公知ミーティングブースと似て非なるものであると同時に、公知ミーティングブースでは得られない作用効果が、当該ベース台１に付加された構成と相俟ってもたらされるので、以下、この点について言及しつつ本発明の実施の形態例を説明する。
【００２３】
図１〜図３のベース台１には、この台１の半周上の外周縁ほぼ等間隔で３本の支柱３を設けると共に、各支柱３を連結するための環状部材４（図１〜図３）、又は、連結部材41（図４〜図７）を各支柱３の上部に架設し、かつ、環状部材４と連結部材41の前面にはサインボード５を設けて、本発明可動コミュニケーション装置の例が構成される。
【００２４】
そして、図１の本発明装置では、ベース台１の略中央に足乗せ台6b付きの天板が高目のテーブル６がその支脚6aをベース台１に立設することにより設けられると共に、該テーブル６の周囲に、座板が高めのスツールタイプに形成された可搬性の椅子７が３脚配置されている。また、支柱３の１本には、ベース台１の内側に向けて表示パネル８が設けられている。ここで、表示パネル８は、液晶などによるディスプレイパネル、或は、プロジェクタ投影用ボードやホワイトボードなど、視覚に訴えるパネル状の表示手段である。上記テーブル６の支脚6aや椅子７の脚が丸パネル状であれば、図９のベース台１における脚ポスト1fにそれらの脚を挿入して支持させることができる。
【００２５】
図２の本発明装置では、ベース台１の略中央に、天板が通常高さのテーブル61を、ポール状の脚柱61aをベース台１に立設支持することにより設ける一方、各支柱３には、平面から見て円弧状をなすベンチ状の座板71の中間部を結合して設けることにより、テーブル61の周囲に少なくとも３人乃至３人以上の人が各座板71に腰掛けて着くことができるように形成されている。
【００２６】
図３の本発明装置では、ベース台１の中央に天板高さがソファー用テーブルのように低い可搬型の小テーブル62を配設すると共に、３本の支柱３の間における２つの間に背もたれ72aを一体に有する平面から見て２／３円弧状のソファー状の座板72を、この３本の柱３に結合して設ける一方、前記背もたれ72aの上方の柱３の間をスクリーン状部材81により覆った構成が採られている。なお、前面に位置する左右一組の支柱３の間は開放されている。
【００２７】
上記の図１〜図３に例示した本発明可動コミュニケーション装置における大きな相違点は、座板７，71，72の高さを順次低くなるように形成したものを設け、従って、各座板７〜72の高さに対応して設けるテーブル６，61，62の天板高さも順次低いものとなっている点である。各座板７，71，72の高さの違いによって、各着座者の視線の高さも順次低くなるが、それでも、フロアＦの側に、一例としてそれぞれの座板７，71，72と同じ高さの椅子などを置いてそれに掛けもらえば、そこに居る人々よりも高い視線が維持される。
【００２８】
本発明装置では、テーブル６，61，62の上にパソコンやPDA,携帯電話、或はプロジェクタなどを置いて使用することがあるので、そのための電源線や信号線がフロアＦ側からベース台１の裏面側に離接自在の形で引き込まれている。ベース台１の裏面には、このための配線を収容すると共に余長配線も収容するための配線収納部９が箱状、ダクト状、トレー状など、適宜の形態で設けられている（図４参照）。図９に示したベース台１の別例では、ベース板1aの下面側の大半の領域が配線収納部９に形成されている。
【００２９】
配線収納部９の配線は、ベース台１の上面側に引出されるが、そのための手段としてベース台１の上面や側面に配線引出口10を設ける。また、ベース台１の上面や側面に引出された配線は、支柱３の内部又は支柱３の外面に形成された凹溝などによる配線通路11を通し支柱３の適宜高さの位置に設けたコンセント12に接続されている。このコンセント12は、図１，図２のテーブル６，61の支脚6aや61aの内部又は外面の配線通路（図に表われず）を通した配線に接続してテーブル６，61の天板に設けることもある。前記コンセント12は配線引出口10又はその近傍に設けてもよい。
【００３０】
本発明装置では、そのベース台１に電源線や信号線が配設されていることにより、例えば、電気ポットやコーヒーメーカなどを備えたカフェコーナーを支柱３に取付けて設けたり、プロジェクタからの映像をスクリーン状部材81に投影したりすることも可能である。本発明装置で取り扱われる外部情報としては、上記例の情報ほかテレビ放送などの放送による情報やインターネット経由でパソコンなどに提供される情報などを、表示パネル８やスクリーン状部材81に表示することにより、ベース台１の上にいる人とその周囲に居る人々との間でのコミュニケーションの拡大、拡充を図ることができる。
【００３１】
図６〜図８は、図４，図５に示した本発明可動コミュニケーション装置の支柱３，連結部材41を利用して、展開，折畳自在或は収納可能なホワイトボード兼用のプロジェクタ投影用表示パネル82，83を設けた一例を示す。
【００３２】
図６〜図８において、中央の前記表示パネル82は、前後方向の連結部材41にスライド自在に設けたハンガー82aに上部中央を吊下支持させて設け、ハンガー82aの進退によって前後位置を変更できるようにしている。
【００３３】
一方、左右両側の表示パネル83，83は、左右方向の連結部材41の両端部に水平旋回自在に設けたハンガーアーム83aの先端に、両パネル83，83の上部中央を水平旋回可能に吊下支持させて設けることにより、中央の表示パネル82の前面に折畳むことができると共に、展開すると図７，図８に示す形態に広げられるよに設けられている。
【００３４】
本発明可動コミュニケーション装置の一例は、上述した通りであるが、本発明装置は、以下に説明する実施の形態もあるので、次にこの点について図10〜図16により説明する。なお、図10〜図16において図１〜図９と同一符号は同一部材，同一部位を示すものとする。図10〜図12は、左右の表示パネル82，83の配設形態の別例と、表示パネル83をスクリーンとする単焦点プロジェクタPJを、当該パネル83と一体に設けた例を説明するための図である。
【００３５】
図10〜図12の例では、表示パネル83は、支柱３に垂直な軸84により水平旋回可能に支持された上，下２本のハンガーアーム83aと83bに、当該パネル83の中心線上において水平旋回可能に垂直な軸85により支持されている。そして、前記軸85と同軸上に、吊杆部材83cが水平旋回可能に設けられ、該部材83cの下端部に水平姿勢の、ここでは単焦点のプロジェクトPJの載せ台83dが設けられている。なお、図10，図12，図13において、Ceは天蓋で、ここでは、図12，図13に例示するように、前，後で２分割された形式のものを使用しているが、天蓋は一枚タイプであってもよい。また、天蓋Ceには、図示しないが照明器具を備えたものや別に設けられた照明光源の反射機能を備えたもの、或は、天蓋を光透過性の面状部材で内部を中空にして形成しその中に光源を備えたものなどもある。
【００３６】
上記構成により、手元に位置したプロジェクタPJを操作しながら表示パネル83に投影される情報について、その情報の内容を説明したり周囲から表示内容を観ることができる。このとき、前記パネル83は軸85による水平旋回とアーム83a，83bの水平旋回とによって、前記パネル83とプロジェクタPJの位置と向きを任意に変更することができ、また、この変更にプロジェクタ載せ台83dも同期するので、きわめて合理的で使い勝手に優れたプロジェクタ表示システムを形成することができる。なお、プロジェクタ載せ台83dの水平旋回と表示パネル83の軸85における水平旋回は、同期するものに限られず、個々に旋回するようにしてもよい。
【００３７】
以上の本発明可動コミュニケーション装置は、左右の支柱３，３が位置する前面側の構成とその作用を中心に説明したものであるが、本発明では、このコミュニケーション装置の背面側に図13〜図16に例示するような形態で様々な設備を設置し、装置の背面側においても、コミュニケーションの拡大、或は、人の寛ぎなどが得られるようにしたので、次にこの点について述べる。
【００３８】
本発明装置において、ベース台１に立設した支柱３は、外面に縦方向の溝を具備していると共に、その溝のスロット（小穴の列、図に表れず）を具備しているので、図13〜図16に示すように、前記スロットに係着できる爪を備えた天板20や棚板21，扉付き又は扉を備えないキャビネット22，23、仕切りパネル24、ホワイトボード25などの設備を選択的乃至は適宜組合せて図14〜図16に例示する仕様態様を本発明装置の背面におけるゾーンＡ〜ゾーンＣにおいて実現することができる。
【産業上の利用可能性】
【００３９】
以上述べたように、本発明可動コミュニケーション装置では、オフィスフロアより一段高く形成したベース台に乗って情報を発信する側とその情報を受ける一段低いフロア側に居る人との間で、互いに視線の高さが異なることに起因してコミュニケーションを交し易い環境が創出されるから、従来の互いに同じ高さの視線におけるコミュニケーションとは異なった雰囲気が創られてコミュニケーションが進展乃至発展し易い。
【００４０】
また、本発明コミュニケーション装置は、ベース台に設けた車輪によってオフィス内のフロア上を自由に移動させることができるから、上記のような良好なコミュニケーション環境を、オフィス内の固定された一箇所に創るのではなく、オフィス内の任意所望の場所に創出することができるという、従来の固定型で同じ視線高さ型の公知装置では得られない発展したコミュニケーション環境を創出することができる。
【図面の簡単な説明】
【００４１】
【図１】本発明可動コミュニケーション装置の第一例の斜視図。
【図２】本発明可動コミュニケーション装置の第二例の斜視図。
【図３】本発明可動コミュニケーション装置の第三例の斜視図。
【図４】ベース台の構造例を説明するため一部を断面にした側面図。
【図５】図４の平面図。
【図６】図４，図５のベース台の支柱にホワイトボードなどによる表示パネルを装着した例の側面図。
【図７】図６の平面図。
【図８】図７の正面図。
【図９】本発明可動コミュニケーション装置におけるベース台の別例の具体的構造例を示すための上面部材であるベース板を外した状態の平面図。
【図１０】表示パネルを装着した別例の要部の正面図。
【図１１】図10の要部の平面図。
【図１２】図10の右側面図。
【図１３】本発明可動コミュニケーション装置の背面設備を説明するための平面図。
【図１４】図13におけるゾーンＡの側面図。
【図１５】図13におけるゾーンＢの側面図。
【図１６】図13におけるゾーンＣの側面図。
【符号の説明】
【００４２】
１  ベース台
２  車輪
３  支柱
４  環状部材
５  サインボード
６  テーブル
７  座板
８  表示パネル
９  配線収納部
10  配線引出口
11  配線通路
12  コンセント
【図１】
2005046600.tif 000003
【図２】
2005046600.tif 000004
【図３】
2005046600.tif 000005
【図４】
2005046600.tif 000006
【図５】
2005046600.tif 000007
【図６】
2005046600.tif 000008
【図７】
2005046600.tif 000009
【図８】
2005046600.tif 000010
【図９】
2005046600.tif 000011
【図１０】
2005046600.tif 000012
【図１１】
2005046600.tif 000013
【図１２】
2005046600.tif 000014
【図１３】
2005046600.tif 000015
【図１４】
2005046600.tif 000016
【図１５】
2005046600.tif 000017
【図１６】
2005046600.tif 000018